(57)【要約】【課題】受光部における色温度を精度よく調節することが可能な、新規かつ改良された医療用光源装置及び医療用光源装置の制御方法を提案する。【解決手段】医療用光源装置は、複数の光源と、光モニタ部と、制御部と、を備える。複数の光源は、出射光の光量を調整可能とされる。光モニタ部は、それぞれの出射光の光量を検出する、制御部は、光源のそれぞれの出射光の光量と輝度値との相関関係と、光モニタ部での検出結果と、に基づき出射光の光量を制御する。【選択図】図１
2019179770.tif 000002
【特許請求の範囲】
【請求項１】
複数の光源と、
前記光源から出射するそれぞれの出射光の光量を検出する光モニタ部と、
前記光源のそれぞれの出射光の光量と輝度値との相関関係と、前記光モニタ部での検出結果と、に基づいて前記出射光の光量を制御する制御部と、
を備える、医療用光源装置。
【請求項２】
前記複数の光源は、赤色光源、緑色光源及び青色光源を含む、請求項１に記載の医療用光源装置。
【請求項３】
前記複数の光源は、レーザ光源である、請求項１又は２に記載の医療用光源装置。
【請求項４】
前記光モニタ部により検出される光量に基づいて前記光源の劣化を判定する劣化判定部を備える、請求項１〜３のいずれか１項に記載の医療用光源装置。
【請求項５】
前記光モニタ部は、フォトダイオードである、請求項１〜４のいずれか１項に記載の医療用光源装置。
【請求項６】
前記複数の光源は、赤色光源、緑色光源及び青色光源を含み、
前記光モニタ部は、前記赤色光源の出射光の光量を検出する赤色光モニタ部と、前記緑色光源の出射光の光量を検出する緑色光モニタ部と、前記青色光源の出射光の光量を検出する青色光モニタ部と、を含む、請求項１〜５のいずれか１項に記載の医療用光源装置。
【請求項７】
前記光源のそれぞれの出射光を合波して合波光を出射する合波部をさらに備える、請求項１〜６のいずれか１項に記載の医療用光源装置。
【請求項８】
前記合波部は、ミラーおよびダイクロイックミラーのうち少なくとも一方を含む、請求項７に記載の医療用光源装置。
【請求項９】
前記合波光を集光して照明光を出射する集光部をさらに含む、請求項７又は８に記載の医療用光源装置。
【請求項１０】
前記制御部は、前記光量を制御することによって、前記照明光の色温度を調整する、請求項９に記載の医療用光源装置。
【請求項１１】
前記制御部は、前記色温度を一定に保ちながら、前記光源のそれぞれの出射光の光量を制御する、請求項１０に記載の医療用光源装置。
【請求項１２】
前記制御部は、前記照明光の光量を一定に保ちながら、前記光源のそれぞれの出射光の光量を制御する、請求項９〜１１のいずれか１項に記載の医療用光源装置。
【請求項１３】
前記照明光は、内視鏡、または顕微鏡を通って生体に照射される、請求項９〜１２のいずれか１項に記載の医療用光源装置。
【請求項１４】
複数の光源から出射したそれぞれの出射光の光量を検出することと、
前記光源のそれぞれの出射光の光量と輝度値との相関関係と、前記光量の検出結果と、に基づき前記出射光の光量を制御することと、
を含む、医療用光源装置の制御方法。
【請求項１５】
前記相関関係に基づき、前記出射光を合成した照明光の光量を維持したままでそれぞれの前記出射光の輝度の比を変更する、請求項１４に記載の医療用光源装置の制御方法。
【請求項１６】
前記相関関係に基づき、それぞれの前記出射光の輝度の比を維持したままで前記出射光を合成した照明光の光量を変更する、請求項１４又は１５に記載の医療用光源装置の制御方法。
【発明の詳細な説明】
【技術分野】
【０００１】
本開示は、医療用光源装置及び医療用光源装置の制御方法に関する。
【背景技術】
【０００２】
従来、内視鏡や顕微鏡カメラ等の画像取得システムにおいて、キセノンランプやハロゲンランプ等のランプ光源の代わりに、ＲＧＢ光源を用いる技術が提案されている。例えば、特許文献１には、内視鏡や顕微鏡カメラ等に使用可能な撮影システムとして、ＲＧＢの独立光源を有する可視光ＬＥＤを有する光源装置が開示されている。
【０００３】
特許文献１においては、ＲＧＢすべての可視光ＬＥＤを点灯させた状態で、ＲＧＢ各色の出射光強度を調整して、イメージセンサの出力におけるホワイトバランスを調整している。具体的に、特許文献１には、ホワイトバランスを調整するに当たり、イメージセンサの出力に基づきホワイトバランス調整装置により検出される色温度に基づいてＲＧＢ各色の出射光強度を調整することが記載されている。また、特許文献１には、ホワイトバランスを調整するに当たり、イメージセンサの出力に基づき表示されるモニタ表示を見ながらユーザの入力によりＲＧＢ各色の出射光強度を調整することが記載されている。
【先行技術文献】
【特許文献】
【０００４】
【特許文献１】特開２０１２−２９７２８号公報
【発明の概要】
【発明が解決しようとする課題】
【０００５】
しかし、特許文献１に記載されたホワイトバランスの調整方法は、イメージセンサの出力に基づき、ＲＧＢの独立光源それぞれの出射光が合波された照明光の色温度を、モニタ表示を見ながらホワイトバランスの調整を行うものである。したがって、所望の色温度の照明光を照射するには、その都度、イメージセンサの出力を得ながらＲＧＢ各色の出射光強度を調整する必要がある。
【０００６】
そこで、本開示では、受光部から取得した輝度と前記出射光の光量との相関関係に基づき複数の光源の光量をそれぞれ調整して、受光部における色温度を精度よく調節することが可能な、新規かつ改良された医療用光源装置及び医療用光源装置の制御方法を提案する。
【課題を解決するための手段】
【０００７】
本開示によれば、出射光の光量を調整可能な複数の光源と、それぞれの前記出射光の光量を検出する光モニタ部と、受光部から取得した前記光源それぞれの出射光の光量と輝度値との相関関係と、前記光モニタ部での検出結果と、に基づいて前記出射光の光量を制御する制御部と、を備える、医療用光源装置が提供される。
【０００８】
また、本開示によれば、複数の光源から出射したそれぞれの出射光の光量を検出するステップと、前記光源のそれぞれの出射光と輝度値との相関関係と、前記光量の検出結果と、に基づき前記出射光の光量を制御するステップと、を備える、医療用光源装置の制御方法が提供される。
【発明の効果】
【０００９】
以上説明したように本開示によれば、複数の光源のそれぞれの出射光の光量と輝度値との相関関係と、それぞれの出射光の光量と、に基づき複数の光源の光量をそれぞれ調整して、受光部における色温度を精度よく調節することが可能になる。なお、上記の効果は必ずしも限定的なものではなく、上記の効果とともに、又は上記の効果に代えて、本明細書に示されたいずれかの効果、または本明細書から把握され得る他の効果が奏されてもよい。
【図面の簡単な説明】
【００１０】
【図１】本開示の第１の実施の形態に係る画像取得システムを示すブロック図である。
【図２】同実施形態に係る緑色光源の構成の一例を示す模式図である。
【図３】同実施形態に係る光モニタ部を有するＲＧＢ合波モジュールを示す模式図である。
【図４】ホワイトバランス調整処理の一例を示すフローチャートである。
【図５】相関関係取得処理の一例を示すフローチャートである。
【図６】赤色光源の光量検出値と受光部における輝度値との相関関係を示す図である。
【図７】緑色光源の光量検出値と受光部における輝度値との相関関係を示す図である。
【図８】青色光源の光量検出値と受光部における輝度値との相関関係を示す図である。
【図９】光量調整処理の一例を示すフローチャートである。
【図１０】色温度調整処理の一例を示すフローチャートである。
【図１１】本開示の第２の実施の形態に係る画像取得システムを示すブロック図である。
【図１２】光源の劣化判定処理の一例を示すフローチャートである。
【発明を実施するための形態】
【００１１】
以下に添付図面を参照しながら、本開示の好適な実施の形態について詳細に説明する。なお、本明細書及び図面において、実質的に同一の機能構成を有する構成要素については、同一の符号を付することにより重複説明を省略する。
【００１２】
なお、説明は以下の順序で行うものとする。
＜１．第１の実施の形態（光源ごとに制御部を有する例）＞
［１．１．画像取得システムの全体構成例］
（１．１．１．照明装置の構成例）
（１．１．２．撮像処理装置の構成例）
［１．２．照明装置の制御処理例］
（１．２．１．ホワイトバランス調整処理例）
（１．２．２．色温度調整処理例）
（１．２．３．光量調整処理例）
＜２．第２の実施の形態（すべての光源に共通の制御部を有する例）＞
＜３．第３の実施の形態（光源の劣化判定処理機能を有する例）＞
【００１３】
また、本明細書において、「出射光」とは光源から出射した光を指し、「照明光」とは照明装置から照射された光を指す。
【００１４】
＜１．第１の実施の形態＞
［１．１．画像取得システムの全体構成例］
まず、図１を参照して、本開示の第１の実施の形態に係る画像取得システム１０の概略構成について説明する。図１は、本実施形態に係る画像取得システム１０の全体構成を示すブロック図である。この画像取得システム１０は照明装置１００と撮像処理装置２００とを備え、例えば内視鏡システムとして構成される。ただし、内視鏡システムは画像取得システム１０の一例であって、電子顕微鏡装置等の他のシステムであってもよい。
【００１５】
（１．１．１．照明装置の構成例）
照明装置１００は、赤色光源１３０Ｒ、緑色光源１３０Ｇ、青色光源１３０Ｂ、赤色光源制御部１１０Ｒ、緑色光源制御部１１０Ｇ、青色光源制御部１１０Ｂ、及び合波部１７０を備えて構成される。また、照明装置１００は、赤色光モニタ部１５０Ｒ、緑色光モニタ部１５０Ｇ、青色光モニタ部１５０Ｂ、を備えている。
【００１６】
赤色光源１３０Ｒは、例えばＧａＩｎＰ量子井戸構造レーザダイオード等の半導体レーザからなり、青色光源１３０Ｂは、例えばＧａＩｎＮ量子井戸構造レーザダイオード等の半導体レーザからなる。緑色光源１３０Ｇは、例えば、半導体レーザによって励起される固体レーザからなる。本実施形態に係る照明装置１００は、光源が半導体レーザの制御によるＲＧＢの３色光源からなることから、キセノンランプやハロゲンランプ等のランプ光源とは異なり、電気的に照明光の光量や色温度を調節することができるものとなっている。
【００１７】
図２は、固体レーザからなる緑色光源１３０Ｇの構成例を示す模式図である。図２に例示した緑色光源１３０Ｇは、ＡｌＧａＡｓ量子井戸構造レーザダイオードからなる励起光源１３１、集光レンズ１３３，１３５及びＹＶＯ4からなる光学結晶１３７を有して構成される。また、緑色光源１３０Ｇは、共振器ミラー１３９、ＰＰＭｇＳＬＴからなる波長変換素子１４１及び凹面ミラーからなる反射部１４３を有して構成される。集光レンズ１３３，１３５及び光学結晶１３７は、この順に、励起光源１３１から出射される光の光路上に配置されている。
【００１８】
光学結晶１３７の励起光源１３１側の端面は光軸に対し直交する垂直面とされ、高反射膜１３７ａを有する共振器ミラーとされる。また、光学結晶１３７の他方の端面は、ブリュースター角以外の角度を持つ傾斜面とされ、この傾斜面に反射防止膜１３７ｂが設けられる。反射部１４３は、光学結晶１３７から出射される光の出射光路上に配置される。波長変換素子１４１は、反射部１４３により反射される光の光路上に配置される。波長変換素子１４１の両面には反射防止膜が設けられる。共振器ミラー１３９は、波長変換素子１４１の反射部１４３の反対側に設けられる。
【００１９】
この緑色光源１３０Ｇは、励起光源１３１から出射された励起光が集光レンズ１３３，１３５でビーム形状の基本波とされて、光学結晶１３７に入射する。光学結晶１３７は、入射光により励起され、新たなレーザ光を出射する。出射した光は反射部１４３により反射されて波長変換素子１４１に照射され、波長変換素子１４１を透過して共振器ミラー１３９により反射される。波長変換素子１４１から出射する光は変換波とされ、変換波は反射部１４３を透過して出射光として出射される。
【００２０】
なお、上述した半導体レーザや固体レーザは赤色光源１３０Ｒ、緑色光源１３０Ｇ、青色光源１３０Ｂの一例であって、他の光源を用いてもよい。緑色光源１３０Ｇは、半導体レーザにより構成してもよい。また、複数の光源はＲＧＢの３色光源に限られず、４色光源等、光源の数は限定されない。ただし、レーザ光源であれば、出射光の拡散が少なく、光モニタ部によって光量を容易に検出することができる。
【００２１】
赤色光モニタ部１５０Ｒ、緑色光モニタ部１５０Ｇ、青色光モニタ部１５０Ｂは、例えばフォトダイオードからなる。赤色光モニタ部１５０Ｒは赤色光源１３０Ｒの出射光の光量Ｑｒを検出する。緑色光モニタ部１５０Ｇは緑色光源１３０Ｇの出射光の光量Ｑｇを検出する。青色光モニタ部１５０Ｂは青色光源１３０Ｂの出射光の光量Ｑｂを検出する。赤色光モニタ部１５０Ｒについて説明すれば、フォトダイオードからなる赤色光モニタ部１５０Ｒは、赤色光源１３０Ｒから出射された出射光（赤色光）の一部を受光し、受光した光の光量Ｑｒを電圧信号に変換して赤色光源制御部１１０Ｒに送信する。緑色光モニタ部１５０Ｇ、青色光モニタ部１５０Ｂも同様に、緑色光又は青色光の一部を受光し、受光した光の光量Ｑｇ，Ｑｂを電圧信号に変換して緑色光源制御部１１０Ｇ又は青色光源制御部１１０Ｂに送信する。
【００２２】
合波部１７０は、赤色光源１３０Ｒ、緑色光源１３０Ｇ、青色光源１３０Ｂからそれぞれ出射された赤色光、緑色光、青色光を合波する。本実施形態に係る照明装置１００においては、赤色光、緑色光、青色光それぞれの光量Ｑｒ，Ｑｇ，Ｑｂを調節することにより、赤色光、緑色光、青色光の輝度Ｌｒ，Ｌｇ，Ｌｂのバランスが変更され、合波される光の色温度を調節することができる。
【００２３】
図３は、合波部１７０の構成例を示す模式図であり、光モニタ付ＲＧＢ合波モジュール１８０の構成例が示されている。この合波モジュール１８０において、合波部１７０は、ミラー１５３及びダイクロイックミラー１５５，１５７を備えている。ダイクロイックミラー１５５，１５７は、それぞれ特定の波長の光を反射する。一方、ダイクロイックミラー１５５，１５７は、それ以外の波長の光を透過させる。赤色光源１３０Ｒから出射された赤色光は、ミラー１５３によって反射され、その進路がレンズ１５９方向に変化する。ミラー１５３はダイクロイックミラーとしてもよい。また、緑色光源１３０Ｇから出射された緑色光は、ダイクロイックミラー１５５によって反射され、その進路がレンズ１５９方向に変化する。このとき、ミラー１５３から送られてきた赤色光は、そのままダイクロイックミラー１５５を透過する。
【００２４】
さらに、青色光源１３０Ｂから出射された青色光は、ダイクロイックミラー１５７によって反射され、その進路がレンズ１５９方向に変化する。このとき、ダイクロイックミラー１５５から送られてきた赤色光及び緑色光は、そのままダイクロイックミラー１５７を透過する。このようにして、ＲＧＢ３色の光が同じ光軸上に導かれて重ね合わされる。この合波モジュール１８０の例では、最も波長の長い赤色光に対して、次に波長の長い緑色光を合波し、さらに最も波長の短い青色光を合波している。合波された光は、さらにレンズ１５９によって集光されて照明光として出射される。本実施形態に係る内視鏡システムの場合、出射される照明光は、内視鏡プローブの先端に伝達されて照射され、目的部位を照明する。
【００２５】
また、合波モジュール１８０において、赤色光源１３０Ｒから出射された赤色光の一部は、合波される前に、光サンプラ１５１Ｒを用いて赤色光モニタ部１５０Ｒに入射される。これにより、赤色光の光量Ｑｒが検出可能となっている。緑色光源１３０Ｇ、青色光源１３０Ｂから出射される緑色光及び青色光も同様に、その一部が光サンプラ１５１Ｇ，１５１Ｂを用いて緑色光モニタ部１５０Ｇ、青色光モニタ部１５０Ｂに入射されて、光量Ｑｇ，Ｑｂを検出可能となっている。
【００２６】
図１に示した赤色光源制御部１１０Ｒは赤色光源１３０Ｒを駆動制御する。また、緑色光源制御部１１０Ｇは緑色光源１３０Ｇを駆動制御し、青色光源制御部１１０Ｂは青色光源１３０Ｂを駆動制御する。各制御部は、撮像処理装置２００の受光部２３０により検出される輝度Ｌｒ（Ｌｇ，Ｌｂ）と各光モニタ部により検出される光量Ｑｒ（Ｑｇ，Ｑｂ）との相関関係に基づいて、各光源の駆動電流を制御する。例えば、赤色光源制御部１１０Ｒは、受光部２３０により検出される輝度Ｌｒと赤色光モニタ部１５０Ｒにより検出される赤色光の光量Ｑｒとの相関関係に基づいて、赤色光源１３０Ｒに供給する駆動電流を制御する。
【００２７】
これにより、赤色光源１３０Ｒから出射される出射光の光量が調節され、照明光中の赤色光の輝度Ｌｒを所望の値に調節することができる。本実施形態に係る赤色光源制御部１１０Ｒは、赤色光源１３０Ｒのみ点灯させた状態で、そのときに受光部２３０により検出される輝度Ｌｒと赤色光モニタ部１５０Ｒにより検出される赤色光の光量Ｑｒとの相関関係を算出するように構成される。このとき、緑色光源１３０Ｇ及び青色光源１３０Ｂは点灯させない。
【００２８】
緑色光源制御部１１０Ｇ及び青色光源制御部１１０Ｂも同様にして、緑色光モニタ部１５０Ｇ又は青色光モニタ部１５０Ｂにより検出される光量Ｑｇ（Ｑｂ）と受光部２３０により検出される輝度Ｌｇ（Ｌｂ）との相関関係を算出するように構成される。すなわち、緑色光源制御部１１０Ｇ及び青色光源制御部１１０Ｂは、緑色光源１３０Ｇ又は青色光源１３０Ｂのみを点灯させた状態で、光量Ｑｇ（Ｑｂ）と輝度Ｌｇ（Ｌｂ）との相関関係を算出する。緑色光源制御部１１０Ｇ及び青色光源制御部１１０Ｂは、輝度Ｌｇ（Ｌｂ）と光量Ｑｇ（Ｑｂ）との相関関係に基づいて、緑色光源１３０Ｇ又は青色光源１３０Ｂに供給する駆動電流を制御する。これにより、緑色光源１３０Ｇ及び青色光源１３０Ｂから出射される出射光の光量Ｑｇ（Ｑｂ）が調節され、照明光中の緑色光及び青色光の輝度Ｌｇ（Ｌｂ）を所望の値に調節することができる。
【００２９】
本実施形態に係る照明装置１００は、それぞれ撮像処理装置２００の受光部２３０により検出される輝度Ｌｒ、Ｌｇ，Ｌｂと各光モニタ部により検出される赤色光、緑色光、青色光の光量Ｑｒ，Ｑｇ，Ｑｂとの相関関係に基づいて、各光源の駆動電流が調節される。したがって、例えば本実施形態に係る内視鏡システムの場合、内視鏡プローブの取付け後に必ず行われるホワイトバランス調整中に、赤色光、緑色光、青色光それぞれについて輝度Ｌｒ，Ｌｇ，Ｌｂと光量Ｑｒ，Ｑｇ，Ｑｂとの相関関係を取得する。これにより、以降、撮像処理装置２００により検出される輝度や色温度を参照することなく、照明光の色温度や光量の調整を正確に行うことができる。
【００３０】
（１．１．２．撮像処理装置の構成例）
撮像処理装置２００は、光学系２１０、受光部２３０、撮像処理部２５０を備えて構成されている。光学系２１０は、照明装置１００から照射された照明光を取り込む。本実施形態に係る内視鏡システムの場合、光学系２１０は、内視鏡プローブの先端に設けられた観察窓を介して、照明光を取り込むことができるように構成されている。
【００３１】
受光部２３０は、例えばＣＣＤ（Ｃｈａｒｇｅ  Ｃｏｕｐｌｅｄ  Ｄｅｖｉｃｅ）やＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）等の固体撮像素子を有して構成される。受光部２３０は、光学系２１０の結像位置に配置されており、目的部位に照射されて反射された照明光により、目的部位を撮像した被写体像が撮像される。受光部２３０は、撮像した被写体像を光電変換して撮像信号を生成し、生成した撮像信号を撮像処理部２５０に出力する。
【００３２】
撮像処理部２５０は、ＣＰＵや記憶素子を備えて構成され、受光部２３０から出力された撮像信号に基づいて画像を生成し、図示しないモニタ等に画像を表示させる。このとき、撮像処理部２５０は、画像全体、あるいは、あらかじめ定めた領域に含まれる各画素についての輝度を検出する。さらに、撮像処理部２５０は、各画素について検出した輝度の平均値を算出し、算出した輝度の平均値を、照明装置１００の赤色光源制御部１１０Ｒ、緑色光源制御部１１０Ｇ、青色光源制御部１１０Ｂに出力する。このとき、本実施形態に係る内視鏡システムにおいては、受光部２３０により検出される輝度値は、内視鏡プローブの個体差によって異なり得るものとなっている。
【００３３】
［１．２．照明装置の制御処理例］
以上、本実施形態に係る画像取得システム１０の全体構成例について説明した。次に、本実施形態に係る画像取得システム１０における照明装置１００の制御処理について説明する。
【００３４】
（１．２．１．ホワイトバランス調整処理例）
図４は、本実施形態に係る照明装置１００によるホワイトバランス調整処理例のフローチャートを示している。このホワイトバランス調整処理のフローは、例えば、使用者によって、図示しないホワイトバランス調整処理開始ボタンが押下されたときに開始される。
【００３５】
まず、ステップＳ１００において、赤色光源制御部１１０Ｒ、緑色光源制御部１１０Ｇ、青色光源制御部１１０Ｂは、赤色光、緑色光、青色光それぞれについて、出射光の光量（光モニタ値）Ｑｒ，Ｑｇ，Ｑｂと輝度Ｌｒ，Ｌｇ，Ｌｂとの相関関係を算出する。本実施形態では、赤色光源１３０Ｒ、緑色光源１３０Ｇ、青色光源１３０Ｂからの出射光の光量（光モニタ値）Ｑｒ，Ｑｇ，Ｑｂと、受光部２３０により検出される輝度Ｌｒ，Ｌｇ，Ｌｂとの相関関係を表す校正式Ｆｒ，Ｆｇ，Ｆｂが算出される。係る校正式Ｆｒ，Ｆｇ，Ｆｂの算出は、例えば、内視鏡システムの使用開始時に、内視鏡プローブを照明装置１００に装着した段階で行うようにしてもよい。係る校正式Ｆｒ，Ｆｇ，Ｆｂを算出することにより、使用する内視鏡プローブの個体差を加味した上で、各光源からの出射光の光量Ｑｒ，Ｑｇ，Ｑｂと受光部２３０により検出される輝度値Ｌｒ，Ｌｇ，Ｌｂとの関連付けがなされる。
【００３６】
図５は、照明装置１００による相関関係取得処理のフローチャートを示している。本実施形態に係る内視鏡システムの場合、以下の相関関係取得処理は、基準となる白色の被写体が撮像されるように、例えば内視鏡プローブの先端にカバーを装着して実施される。内視鏡プローブの先端にカバーを装着する以外に、あらかじめ決められた白色の被写体を撮像しながら、相関関係取得処理を行うようにしてもよい。
【００３７】
まず、ステップＳ２１０において、赤色光源制御部１１０Ｒは、赤色光について、赤色光原１３０Ｒの駆動電流に対する光モニタ値（電圧値：Ｖ）及び受光部２３０により検出される輝度値を測定する。具体的に、赤色光源制御部１１０Ｒは、緑色光及び青色光を出射させない状態で、赤色光源１３０Ｒに供給する駆動電流を変化させながら赤色光を出射させる。この状態で、赤色光源制御部１１０Ｒは、複数の駆動電流値Ａk（ｋ＝１〜ｎ）について、赤色光モニタ部１５０Ｒにより検出される光モニタ値Ｑｒk（ｋ＝１〜ｎ）と受光部２３０により検出される輝度値Ｌｒk（ｋ＝１〜ｎ）とを取得する。
【００３８】
次いで、ステップＳ２２０において、赤色光源制御部１１０Ｒは、取得された光モニタ値Ｑｒk（ｋ＝１〜ｎ）と輝度値Ｌｒk（ｋ＝１〜ｎ）とに基づいて、赤色光についての光モニタ値Ｑｒと輝度値Ｌｒとの相関関係を表す校正式Ｆｒを算出する。校正式は、例えば２次の多項式とすることができるが、校正式の算出の仕方や、校正式の次数については、適宜設定することができる。
【００３９】
赤色光源１３０Ｒについて校正式Ｆｒを算出した後、次いで、ステップＳ２３０において、緑色光源制御部１１０Ｇは、緑色光原１３０Ｇの駆動電流に対する光モニタ値（Ｖ）及び受光部２３０により検出される輝度値を測定する。係る測定は、赤色光及び青色光を出射させない状態で、緑色光源１３０Ｇに供給する駆動電流を変化させながら行われる。次いで、ステップＳ２４０において、緑色光源制御部１１０Ｇは、取得された光モニタ値Ｑｇk（ｋ＝１〜ｎ）と輝度値Ｌｇk（ｋ＝１〜ｎ）とに基づいて、緑色光についての相関関係を表す校正式Ｆｇを算出する。
【００４０】
緑色光源１３０Ｇについて校正式Ｆｇを算出した後、次いで、ステップＳ２５０において、青色光源制御部１１０Ｂは、青色光原１３０Ｂの駆動電流に対する光モニタ値（Ｖ）及び受光部２３０により検出される輝度値を測定する。係る測定は、赤色光及び緑色光を出射させない状態で、青色光源１３０Ｂに供給する駆動電流を変化させながら行われる。次いで、ステップＳ２６０において、青色光源制御部１１０Ｂは、取得された光モニタ値Ｑｂk（ｋ＝１〜ｎ）と輝度値Ｌｂk（ｋ＝１〜ｎ）とに基づいて、青色光についての相関関係を表す校正式Ｆｂを算出する。
【００４１】
図６〜図８は、上述した相関関係取得処理の手順で、赤色光、緑色光、青色光それぞれについて、フォトダイオードにより検出された光モニタ値とＣＣＤにより検出された輝度値との相関関係を示している。図６〜図８は、縦軸及び横軸ともに同一の尺度で示されている。図示した例では、各色の光で取得されたデータから算出される校正式Ｆｒ，Ｆｇ，Ｆｂの勾配は、赤色光が最も小さく、次いで青色光が大きく、緑色光が最も大きくなっている。すなわち、各色の光について、受光部２３０により検出される輝度値Ｌｒ，Ｌｇ，Ｌｂを同一とするための光量Ｑｒ，Ｑｇ，Ｑｂの大きさは、赤色光が最も小さく、次いで青色光が大きく、緑色光が最も大きくなっている。
【００４２】
なお、図５に示す相関関係取得処理においては、赤色光、緑色光、青色光の順に校正式Ｆｒ，Ｆｇ，Ｆｂを算出しているが、その順序は適宜入れ替えてもよい。また、３色の光源すべての光モニタ値及び輝度値を取得した後に、各色の光についての校正式Ｆｒ，Ｆｇ，Ｆｂを算出するようにしてもよい。
【００４３】
図４に戻り、ステップＳ１００において各光源から出射される光に関する校正式Ｆｒ，Ｆｇ，Ｆｂを取得した後、ステップＳ１１０に進む。ステップＳ１１０において、赤色光源制御部１１０Ｒ、緑色光源制御部１１０Ｇ、青色光源制御部１１０Ｂは、校正式Ｆｒ，Ｆｇ，Ｆｂに基づき、各色の光が、あらかじめ設定された同一の輝度値Ｌ０となる光モニタ値Ｑｒ＿Ａ，Ｑｇ＿Ａ，Ｑｂ＿Ａを算出する。そして、各制御部は、算出された値Ｑｒ＿Ａ，Ｑｇ＿Ａ，Ｑｂ＿Ａをそれぞれの光源の駆動制御の目標値として設定する。例えば、各制御部は、輝度値が２００となる光モニタ値を校正式Ｆｒ，Ｆｇ，Ｆｂに基づき算出して、各光源の駆動制御の目標値として設定する。
【００４４】
次いで、赤色光源制御部１１０Ｒは、ステップＳ１２０において、赤色光源１３０Ｒの駆動電流を増減する。次いで、赤色光源制御部１１０Ｒは、ステップＳ１３０において、赤色光モニタ部１５０Ｒにより検出される光モニタ値ＱｒがステップＳ１１０で設定した目標値Ｑｒ＿Ａとなったか否かの判別を行う。赤色光源制御部１１０Ｒは、検出される光モニタ値Ｑｒが目標値Ｑｒ＿Ａとなるまで、ステップＳ１２０〜ステップＳ１３０の処理を繰り返す。緑色光源制御部１１０Ｇ及び青色光源制御部１１０Ｂも同様に、緑色光モニタ部１５０Ｇ及び青色光モニタ部１５０Ｂにより検出される光モニタ値Ｑｇ，ＱｂがステップＳ１１０で設定した目標値Ｑｇ＿Ａ，Ｑｂ＿Ａとなるまで、それぞれ駆動電流の増減及び判別を繰り返す（ステップＳ１４０〜ステップＳ１５０、ステップＳ１６０〜ステップＳ１７０）。
【００４５】
赤色光、緑色光、青色光のすべてにおいて、光モニタ値Ｑｒ，Ｑｇ，Ｑｂが目標値Ｑｒ，Ｑｇ＿Ａ，Ｑｂ＿Ａと一致したときに、ホワイトバランス調整処理は終了する。このようにして、本実施形態に係る内視鏡システムは、一旦、各色の光の光モニタ値と輝度値との校正式Ｆｒ，Ｆｇ，Ｆｂを得た後は、撮像処理装置２００で取得される画像を見ることなく、ホワイトバランスの調整を容易に行うことができる。
【００４６】
（１．２．２．色温度調整処理例）
図９は、本実施形態に係る照明装置１００による色温度調整処理例のフローチャートを示している。この色温度調整処理のフローは、現在照射されている照明光の光量Ｑｘを維持したまま、赤色光、緑色光、青色光の輝度の比（ＲＧＢ比）を変更して照明光の色温度を調節する処理のフローである。
【００４７】
まず、ステップＳ３００において、赤色光源制御部１１０Ｒ、緑色光源制御部１１０Ｇ、青色光源制御部１１０Ｂは、赤色光、緑色光、青色光それぞれについて、出射光の光量Ｑｒ，Ｑｇ，Ｑｂと輝度Ｌｒ，Ｌｇ，Ｌｂとの相関関係を算出する。本実施形態では、出射光の光量Ｑｒ，Ｑｇ，Ｑｂと輝度Ｌｒ，Ｌｇ，Ｌｂとの相関関係を表す校正式Ｆｒ，Ｆｇ，Ｆｂを算出する。このステップＳ３００は、図４に示すホワイトバランス調整処理のステップＳ１００と同様に図５に例示する手順で行われるものであり、内視鏡プローブを照明装置１００に装着した段階で行われるものとするとよい。
【００４８】
次いで、ステップＳ３１０において、赤色光源制御部１１０Ｒ、緑色光源制御部１１０Ｇ、青色光源制御部１１０Ｂは、照明光の色温度変更の指示の入力を受け取る。次いで、ステップＳ３２０において、各制御部は、赤色光モニタ部１５０Ｒ、緑色光モニタ部１５０Ｇ、青色光モニタ部１５０Ｂにより検出される光モニタ値Ｑｒ，Ｑｇ，Ｑｂをそれぞれ読取る。各制御部が、光モニタ値Ｑｒ，Ｑｇ，Ｑｂの情報を交換するようにしてもよく、あるいは、各制御部が、すべての光モニタ値Ｑｒ，Ｑｇ，Ｑｂを読み取るようにしてもよい。
【００４９】
そして、算出された校正式Ｆｒ，Ｆｇ，Ｆｂに基づき、光モニタ値Ｑｒ，Ｑｇ，Ｑｂに対応する３色の光それぞれの輝度値Ｌｒ，Ｌｇ，Ｌｂ及び合計の輝度値Ｌｘを算出する。ステップＳ３１０の色温度変更の指示は、例えば、使用者がＲＧＢ比を設定したり、あるいは、あらかじめＲＧＢ比が設定された図示しない入力スイッチが押下されたりすることで入力される。また、ステップＳ３２０における合計輝度値Ｌｘの算出は、赤色光源制御部１１０Ｒ、緑色光源制御部１１０Ｇ、青色光源制御部１１０Ｂのうちのいずれかの制御部で行い、その他の制御部に合計輝度値Ｌｘを出力するようにしてもよい。
【００５０】
次いで、ステップＳ３３０において、赤色光源制御部１１０Ｒ、緑色光源制御部１１０Ｇ、青色光源制御部１１０Ｂは、合計輝度値Ｌｘを維持したままで、指示されたＲＧＢ比に基づき各色の輝度値Ｌｒ＿Ｂ，Ｌｇ＿Ｂ、Ｌｂ＿Ｂを算出する。
【００５１】
次いで、ステップＳ３４０において、赤色光源制御部１１０Ｒは、ステップＳ３００で求められた校正式Ｆｒに基づき、赤色光が、ステップＳ３３０で算出された輝度値Ｌｒ＿Ｂとなる光モニタ値Ｑｒ＿Ｂを算出する。同様に、緑色光源制御部１１０Ｇ、青色光源制御部１１０Ｂは、ステップＳ３００で求められた校正式Ｆｇ，Ｆｂに基づき、各色の光が、ステップＳ３３０で算出された輝度値Ｌｇ＿Ｂ，Ｌｂ＿Ｂとなる光モニタ値Ｑｇ＿Ｂ，Ｑｂ＿Ｂをそれぞれ算出する。そして、各制御部は、算出された値Ｑｒ＿Ｂ，Ｑｇ＿Ｂ，Ｑｂ＿Ｂをそれぞれの光源の駆動制御の目標値として設定する。
【００５２】
次いで、赤色光源制御部１１０Ｒは、ステップＳ３５０において赤色光源１３０Ｒの駆動電流を増減する。次いで、赤色光源制御部１１０Ｒは、ステップＳ３５５において赤色光モニタ部１５０Ｒにより検出される光モニタ値ＱｒがステップＳ３４０で設定した目標値Ｑｒ＿Ｂとなったか否かの判別を行う。赤色光源制御部１１０Ｒは、検出される光モニタ値Ｑｒが目標値Ｑｒ＿Ｂとなるまで、ステップＳ３５０〜ステップＳ３５５の処理を繰り返す。緑色光源制御部１１０Ｇ及び青色光源制御部１１０Ｂも同様に、緑色光モニタ部１５０Ｇ及び青色光モニタ部１５０Ｂにより検出される光モニタ値Ｑｇ，ＱｂがステップＳ３４０で設定した目標値Ｑｇ＿Ｂ，Ｑｂ＿Ｂとなるまで、駆動電流の増減及び判別を繰り返す（ステップＳ３６０〜ステップＳ３６５、ステップＳ３７０〜ステップＳ３７５）。
【００５３】
赤色光、緑色光、青色光のすべてにおいて、光モニタ値Ｑｒ，Ｑｇ，Ｑｂと目標値Ｑｒ＿Ｂ，Ｑｇ＿Ｂ，Ｑｂ＿Ｂとが一致したときに、色温度調整処理は終了する。その結果、照明光の光量を維持したまま、照明光の色温度を、使用者が設定した色温度に、あるいは、あらかじめ設定された色温度に調節することができる。このように、本実施形態に係る内視鏡システムは、例えば内視鏡プローブの装着後に、各色の光の光モニタ値Ｑｒ，Ｑｇ，Ｑｂと輝度値Ｌｒ，Ｌｇ，Ｌｂとの相関関係を表す校正式Ｆｒ，Ｆｇ，Ｆｂを取得する。これにより、以後の使用時に、撮像処理装置２００で取得される画像を見ることなく、照明光の光量Ｑｘを維持したままで色温度の調整を容易に行うことができる。
【００５４】
（１．２．３．光量調整処理例）
図１０は、本実施形態に係る照明装置１００による光量調整処理例のフローチャートを示している。この光量調整処理のフローは、現在照射されている照明光の色温度、すなわち、赤色光、緑色光、青色光の輝度の比（ＲＧＢ比）を維持したまま、赤色光、緑色光、青色光の光量を変更して照明光の光量を調節する処理のフローである。
【００５５】
まず、ステップＳ４００において、赤色光源制御部１１０Ｒは、赤色光について、赤色光源１３０Ｒからの出射光の光量Ｑｒと、受光部２３０により検出される輝度Ｌｒとの相関関係を表す校正式Ｆｒを算出する。同様に、緑色光源制御部１１０Ｇ、青色光源制御部１１０Ｂは、緑色光、青色光それぞれについて、出射光の光量Ｑｇ，Ｑｂと輝度Ｌｇ，Ｌｂとの相関関係を表す校正式Ｆｇ，Ｆｂを算出する。このステップＳ４００は、図４に示すホワイトバランス調整処理のステップＳ１００と同様に図５に例示する手順で行われるものであり、内視鏡プローブを照明装置１００に装着した段階で行われるものとしてもよい。
【００５６】
次いで、ステップＳ４１０において、赤色光源制御部１１０Ｒ、緑色光源制御部１１０Ｇ、青色光源制御部１１０Ｂは、照明光の光量変更の指示の入力を受け取る。次いで、ステップＳ４２０において、各制御部は、赤色光モニタ部１５０Ｒ、緑色光モニタ部１５０Ｇ、青色光モニタ部１５０Ｂにより検出される光モニタ値Ｑｒ，Ｑｇ，Ｑｂをそれぞれ読取る。各制御部が、光モニタ値Ｑｒ，Ｑｇ，Ｑｂの情報を交換するようにしてもよく、あるいは、各制御部が、すべての光モニタ値Ｑｒ，Ｑｇ，Ｑｂを読み取るようにしてもよい。
【００５７】
そして、各制御部は、算出された校正式Ｆｒ，Ｆｇ，Ｆｂに基づき、光モニタ値Ｑｒ，Ｑｇ，Ｑｂに対応する３色の光それぞれの輝度値Ｌｒ，Ｌｇ，Ｌｂ及び輝度値の比を算出する。ステップＳ４１０の光量変更の指示は、例えば、使用者が光量調節ダイヤルを調節したり、あるいは、あらかじめ光量が設定された図示しないスイッチが押下されたりすることで入力される。また、ステップＳ４２０における輝度値の比の算出は、赤色光源制御部１１０Ｒ、緑色光源制御部１１０Ｇ、青色光源制御部１１０Ｂのうちのいずれかの制御部で行い、その他の制御部に輝度値の比を出力するようにしてもよい。
【００５８】
次いで、ステップＳ４３０において、赤色光源制御部１１０Ｒは、輝度値の比を維持したままで、赤色光、緑色光、青色光の輝度値の合計が、指示された照明光の光量に対応する輝度値Ｌｙとなるように、赤色光の輝度値Ｌｒ＿Ｃを算出する。同様に、緑色光源制御部１１０Ｇ、青色光源制御部１１０Ｂは、輝度値の比を維持したままで、各色の光の輝度値の合計が、指示された照明光の光量に対応する輝度値Ｌｙとなるように、各色の光の輝度値Ｌｇ＿Ｃ，Ｌｂ＿Ｃを算出する。
【００５９】
次いで、ステップＳ４４０において、赤色光源制御部１１０Ｒは、ステップＳ４００で求められた校正式Ｆｒに基づき、赤色光が、ステップＳ４３０で算出された輝度値Ｌｒ＿Ｃとなる光モニタ値Ｑｒ＿Ｃをそれぞれ算出する。同様に、緑色光源制御部１１０Ｇ、青色光源制御部１１０Ｂは、ステップＳ４００で求められた校正式Ｆｇ，Ｆｂに基づき、各色の光が、ステップＳ４３０で算出された輝度値Ｌｇ＿Ｃ，Ｌｂ＿Ｃとなる光モニタ値Ｑｇ＿Ｃ，Ｑｂ＿Ｃをそれぞれ算出する。そして、各制御部は、算出された値Ｑｒ＿Ｃ，Ｑｇ＿Ｃ，Ｑｂ＿Ｃをそれぞれの光源の駆動制御の目標値として設定する。
【００６０】
次いで、赤色光源制御部１１０Ｒは、ステップＳ４５０において赤色光源１３０Ｒの駆動電流を増減する。次いで、赤色光源制御部１１０Ｒは、ステップＳ４５５において赤色光モニタ部１５０Ｒにより検出される光モニタ値ＱｒがステップＳ４４０で設定した目標値Ｑｒ＿Ｃとなったか否かの判別を行う。赤色光源制御部１１０Ｒは、検出される光モニタ値Ｑｒが目標値Ｑｒ＿Ｃとなるまで、ステップＳ４５０〜ステップＳ４５５の処理を繰り返す。緑色光源制御部１１０Ｇ及び青色光源制御部１１０Ｂも同様に、緑色光モニタ部１５０Ｇ及び青色光モニタ部１５０Ｂにより検出される光モニタ値Ｑｇ，ＱｂがステップＳ４４０で設定した目標値Ｑｇ＿Ｃ，Ｑｂ＿Ｃとなるまで、駆動電流の増減及び判別を繰り返す（ステップＳ４６０〜ステップＳ４６５、ステップＳ４７０〜ステップＳ４７５）。
【００６１】
赤色光、緑色光、青色光のすべてにおいて、光モニタ値Ｑｒ，Ｑｇ，Ｑｂが目標値Ｑｒ＿Ｃ，Ｑｇ＿Ｃ，Ｑｂ＿Ｃと一致したときに、照明光の光量調整処理は終了する。その結果、照明光の色温度を維持したまま、照明光の光量を、使用者が設定した光量に、あるいは、あらかじめ設定された光量に調節することができる。このようにして、本実施形態に係る内視鏡システムは、例えば内視鏡プローブの装着時に、各色の光の光モニタ値Ｑｒ，Ｑｇ，Ｑｂと輝度値Ｌｒ，Ｌｇ，Ｌｂとの相関関係を表す校正式Ｆｒ，Ｆｇ，Ｆｂを算出する。これにより、以後の使用時に、撮像処理装置２００で取得される画像を見ることなく、照明光の色温度を維持したままで光量の調整を容易に行うことができる。
【００６２】
以上説明したように、本開示の第１の実施の形態に係る照明装置１００及び画像取得システム１０は、赤色光源１３０Ｒから出射される赤色光の光量が、赤色光モニタ部１５０Ｒにより光モニタ値Ｑｒとして検出される。同様に、照明装置１００及び画像取得システム１０は、緑色光源１３０Ｇ、青色光源１３０Ｂそれぞれから出射される緑色光、青色光の光量が、それぞれ緑色光モニタ部１５０Ｇ、青色光モニタ部１５０Ｂにより光モニタ値Ｑｒ，Ｑｇ，Ｑｂとして検出される。
【００６３】
また、本実施形態に係る照明装置１００及び画像取得システム１０において、赤色光源制御部１１０Ｒ、緑色光源制御部１１０Ｇ、青色光源制御部１１０Ｂは、各光モニタ値Ｑｒ，Ｑｇ，Ｑｂと併せて、撮像処理装置２００の受光部２３０により検出される輝度値Ｌｒ，Ｌｇ，Ｌｂを受け取る。そして、照明装置１００及び画像取得システム１０は、当該輝度値Ｌｒ，Ｌｇ，Ｌｂと光モニタ値Ｑｒ，Ｑｇ，Ｑｂとの相関関係を示す校正式Ｆｒ，Ｆｇ，Ｆｂを取得する。
【００６４】
したがって、本実施形態に係る照明装置１００及び画像取得システム１０は、当該校正式Ｆｒ，Ｆｇ，Ｆｂに基づいて各光源の光量を調節することにより、照明光の色温度を正確に調節することができる。これにより、撮像処理装置２００の受光部２３０のゲインを調整する必要がなくなり、電子ノイズを低減して良質な画像を取得することができる。また、受光部２３０のゲインを調整するのではなく、各光源の光量を調節することで照明光の色温度を調節することにより、各光源の消費電力を低減することができる。また、受光部２３０のゲインを調整するのではなく、各光源の光量を調節することで照明光の色温度を調節することにより、その都度、撮像処理装置２００で取得される画像を参照することなく照明光の色温度を正確に調節することができる。
【００６５】
また、本実施形態に係る照明装置１００及び画像取得システム１０は、例えば内視鏡プローブの装着時に、一旦、各光モニタ値Ｑｒ，Ｑｇ，Ｑｂと受光部２３０により検出される輝度値Ｌｒ，Ｌｇ，Ｌｂとの相関関係を表す校正式Ｆｒ，Ｆｇ，Ｆｂを求める。これにより、以後、同一の内視鏡プローブを使用し続ける限り、内視鏡プローブの影響を考慮せずに照明光の色温度を容易に調節することができる。
【００６６】
さらに、異なる内視鏡プローブを用いる場合であっても、それぞれの内視鏡プローブの装着時に上記校正式Ｆｒ，Ｆｇ，Ｆｂを求めることで、照明光の色温度を正確に調節することができる。したがって、例えば医療現場で使用される内視鏡システムにおいて、内視鏡プローブの個体差にかかわらず、撮像対象に適した所望の撮像画像を得ることができる。
【００６７】
また、本実施形態に係る照明装置１００及び画像取得システム１０では、各光モニタ値Ｑｒ，Ｑｇ，Ｑｂと受光部２３０により検出される輝度値Ｌｒ，Ｌｇ，Ｌｂとの相関関係を表す校正式Ｆｒ，Ｆｇ，Ｆｂが取得されている。これにより、照明光の光量を一定としたまま、照明光のＲＧＢ比を変更して色温度を容易に調整することができる。また、係る校正式Ｆｒ，Ｆｇ，Ｆｂが取得されていることにより、照明光の色温度を一定としたまま、照明光の光量を容易に変更することができる。
【００６８】
＜２．第２の実施の形態＞
本開示の第２の実施の形態は、赤色光源、緑色光源、青色光源が共通の制御部により駆動制御される点で、第１の実施の形態とは異なる。以下、第１の実施の形態に係る照明装置と異なる点を中心に説明する。
【００６９】
図１１は、本開示の第２の実施の形態に係る画像取得システム２０の全体構成を示すブロック図である。この画像取得システム２０は、第１の実施の形態の画像取得システム１０と同様に、照明装置３００と撮像処理装置２００とを備え、例えば、内視鏡システムとして構成される。
【００７０】
このうち、撮像処理装置２００は、撮像処理部２５０から、照明装置３００の制御部３３０に信号が出力される点以外は、第１の実施の形態に係る画像取得システム１０の撮像処理装置２００と同様に構成することができる。
【００７１】
照明装置３００は、赤色光源１３０Ｒ、緑色光源１３０Ｇ、青色光源１３０Ｂ、赤色光源駆動制御回路３１０Ｒ、緑色光源駆動制御回路３１０Ｇ、青色光源駆動制御回路３１０Ｂ、制御部３３０及び合波部１７０を備えて構成される。また、照明装置３００は、赤色光モニタ部１５０Ｒ、緑色光モニタ部１５０Ｇ、青色光モニタ部１５０Ｂを備えている。
【００７２】
赤色光源１３０Ｒ、緑色光源１３０Ｇ、青色光源１３０Ｂは、第１の実施の形態に係る照明装置１００の光源と同様の構成とすることができる。また、光源はＲＧＢの３色光源に限られず、４色光源等、光源の数は限定されない。赤色光モニタ部１５０Ｒ、緑色光モニタ部１５０Ｇ、青色光モニタ部１５０Ｂは、検出した光モニタ値Ｑｒ，Ｑｇ，Ｑｂを制御部３３０に送信する以外は、第１の実施の形態に係る照明装置１００の各モニタ部と同様の構成とすることができる。合波部１７０についても、図３に例示した、第１の実施の形態に係る照明装置１００の合波部１７０と同様の構成とすることができる。
【００７３】
制御部３３０は、撮像処理装置２００の受光部２３０により検出される赤色光、緑色光、青色光それぞれの輝度Ｌｒ，Ｌｇ，Ｌｂと、各光モニタ部により検出される光モニタ値Ｑｒ，Ｑｇ，Ｑｂとの相関関係に基づいて、各光源の駆動電流を設定する。また、制御部３３０は、設定したく各光源の駆動電流に基づき、赤色光源１３０Ｒ、緑色光源１３０Ｇ、青色光源１３０Ｂの駆動指令を、赤色光源駆動制御回路３１０Ｒ、緑色光源駆動制御回路３１０Ｇ、青色光源駆動制御回路３１０Ｂに対して送信する。赤色光源駆動制御回路３１０Ｒ、緑色光源駆動制御回路３１０Ｇ、青色光源駆動制御回路３１０Ｂは、駆動指令に基づいて、赤色光源１３０Ｒ、緑色光源１３０Ｇ、青色光源１３０Ｂを駆動する。
【００７４】
第１の実施の形態に係る照明装置１００では、赤色光源制御部１１０Ｒ、緑色光源制御部１１０Ｇ、青色光源制御部１１０Ｂそれぞれが、各光モニタ値Ｑｒ，Ｑｇ，Ｑｂや輝度値Ｌｒ，Ｌｇ，Ｌｂを受け取り、相関関係を表す校正式Ｆｒ，Ｆｇ，Ｆｂを算出していた。これに対して、本実施形態に係る照明装置３００では、共通の制御部３３０が各光モニタ値Ｑｒ，Ｑｇ，Ｑｂや輝度値Ｌｒ，Ｌｇ，Ｌｂを受け取り、光モニタ値と輝度値との相関関係を表す校正式Ｆｒ，Ｆｇ，Ｆｂを算出するように構成されている。係る校正式Ｆｒ，Ｆｇ，Ｆｂの算出方法や、制御部３３０により実行されるホワイトバランス調整処理、色温度調整処理、光量調整処理の内容は、第１の実施の形態に係る照明装置１００と同様に実行することができる。
【００７５】
本実施形態に係る照明装置３００及び画像取得システム２０によれば、第１の実施の形態に係る照明装置１００及び画像取得システム１０によって得られる効果と同様の効果を得ることができる。併せて、本実施形態に係る照明装置３００及び画像取得システム２０によれば、各光源を駆動制御する際の光モニタ値の目標値の演算が一つの制御部で行われることとなり、制御部間で演算結果等の送受信をする負荷を減らすことができる。なお、図１１に示した例では、制御部３３０は、照明装置３００に備えられるものとしているが、照明装置３００とは別の制御装置として備えられていてもよいし、撮像処理装置２００に制御部を備えていてもよい。
【００７６】
＜３．第３の実施の形態＞
本開示の第３の実施の形態は、各光源の制御部が、光源の劣化を判定する劣化判定部としての機能を有する点で、第１及び第２の実施の形態とは異なっている。例えば、第１の実施の形態に係る赤色光源制御部１１０Ｒ、緑色光源制御部１１０Ｇ、青色光源制御部１１０Ｂ、第２の実施の形態に係る制御部３３０が、光源の劣化を判定する劣化判定部としての機能を有していてもよい。
【００７７】
本実施形態に係る照明装置及び画像取得システムは、基本的に、図１及び図１１に示す照明装置１００，３００及び画像取得システム１０，２０と同一の構成とすることができる。一方、本実施形態に係る照明装置及び画像取得システムは、使用期間の経過に伴って、同一の電流を供給しても光量が低下してくるような光源の劣化を判定する機能を有している。以下、図１に示す照明装置１００及び画像取得システム１０を例に採って、図１２を参照しながら、本実施形態に係る照明装置及び画像取得システムについて説明する。
【００７８】
図１２は、光源の劣化判定処理例を示すフローチャートである。図１に示す照明装置１００の場合、各光源の劣化判定処理は、対応する制御部により実行される。例えば、赤色光源１３０Ｒの劣化判定について説明すると、まず、ステップＳ５１０において、赤色光源制御部１１０Ｒは、赤色光源１３０Ｒに供給する駆動電流を、あらかじめ設定した規定値とする。係る規定値は、赤色光源１３０Ｒから出射される出射光の光量の変化を検出し得るような値に適宜設定することができる。係る規定値は、赤色光源１３０Ｒの劣化判定を実行する際に共通の値として使用される。各光源の劣化判定に対して同一の値の規定値としてもよいし、光源ごとに規定値を異ならせてもよい。
【００７９】
次いで、赤色光源制御部１１０Ｒは、規定値の駆動電流を赤色光源１３０Ｒに供給した状態で赤色光モニタ部１５０Ｒにより検出される光モニタ値Ｑｒを読み取る。次いで、赤色光源制御部１１０Ｒは、使用開始時に赤色光源１３０Ｒに対して同一の規定値の電流を供給して検出された光モニタ値の初期値Ｑｒ０に対する現在の光モニタ値Ｑｒの割合Ｒが、あらかじめ定めた閾値Ｒ０を下回ったか否かを判別する。割合Ｒが閾値Ｒ０以上であれば（Ｓ５３０：Ｎｏ）、ステップＳ５５０に進み、赤色光源制御部１１０Ｒは、赤色光源１３０Ｒに劣化は無いと判定して終了する。一方、割合Ｒが閾値Ｒ０を下回っていれば（Ｓ５３０：Ｙｅｓ）、ステップＳ５４０に進み、赤色光源制御部１１０Ｒは、赤色光源１３０Ｒが劣化していると判定して終了する。
【００８０】
図１に示す照明装置１００の場合、緑色光源制御部１１０Ｇ及び青色光源制御部１１０Ｂも同様の手順で緑色光源１３０Ｇ及び青色光源１３０Ｂの劣化判定処理を実行することができる。また、図１１に示す照明装置３００の場合、制御部３３０が、順次、図１２に示す手順に沿って各光源の劣化判定を実行することができる。
【００８１】
以上説明した本実施形態に係る照明装置及び画像取得システムは、各光源から出射する出射光の光量を検出する光モニタ部１５０Ｒ，１５０Ｇ，１５０Ｂを備えている。したがって、各制御部は、各光源ごとに同一の駆動電流を供給している状態での光モニタ値Ｑｒ，Ｑｇ，Ｑｂの低下割合に基づいて、各光源の劣化を判定することができる。
【００８２】
以上、添付図面を参照しながら本開示の好適な実施形態について詳細に説明したが、本開示の技術的範囲はかかる例に限定されない。本開示の技術分野における通常の知識を有する者であれば、特許請求の範囲に記載された技術的思想の範疇内において、各種の変更例または修正例に想到し得ることは明らかであり、これらについても、当然に本開示の技術的範囲に属するものと了解される。
【００８３】
例えば、上記実施形態では、ホワイトバランス調整処理において、各色の光の輝度が同一となるときの光モニタ値Ｑｒ＿Ａ，Ｑｇ＿Ａ，Ｑｂ＿Ａを求める際の輝度値Ｌ０をあらかじめ設定することとしていたが、本技術は係る例に限定されない。例えば、ホワイトバランス調整処理時に、使用者によって適宜の輝度値Ｌ０に設定されてもよい。
【００８４】
また、上記実施形態では、赤色光源制御部、緑色光源制御部、青色光源制御部、あるいは、制御部が校正式を算出していたが、本技術は係る例に限定されない。例えば、校正式を算出する演算処理部は、各制御部とは別体の装置となっていてもよい。
【００８５】
また、上記実施形態では、目標とする光モニタ値が得られた後に、各制御部１１０Ｒ，１１０Ｇ，１１０Ｂ，３３０が駆動電流を増減していたが、本技術は係る例に限定されない。例えば、目標とする光モニタ値が得られた後に、使用者により各光源の駆動電流が調節されるようにしてもよい。
【００８６】
また、上記実施形態では、色温度調整処理及び光量調整処理の実行時において、照明光の光量を維持したまま色温度を調整し、又は、照明光の色温度を維持したまま光量を調整していたが、本技術は係る例に限定されない。例えば、照明光の色温度（ＲＧＢ比）及び光量が、ともに設定された目標値となるように、各光源の光量を調節することもできる。この場合、設定された光量に対応する合計輝度値と、設定されたＲＧＢ比とに基づいて、各色の光の輝度値を求め、各輝度値に対応する光モニタ値を目標値とするようにしてもよい。これにより、各色の光量を調節して、照明光の光量及び色温度を調節することができる。
【００８７】
また、本明細書に記載された効果は、あくまで説明的または例示的なものであって限定的ではない。つまり、本開示に係る技術は、上記の効果とともに、または上記の効果に代えて、本明細書の記載から当業者には明らかな他の効果を奏しうる。
【００８８】
なお、以下のような構成も本開示の技術的範囲に属する。
（１）
複数の光源と、前記光源から出射するそれぞれの出射光の光量を検出する光モニタ部と、受光部から取得した輝度と前記出射光の光量との相関関係に基づいて前記出射光の光量を制御する制御部と、を備える、照明装置。
（２）
前記制御部は、前記相関関係を算出するよう構成される、前記（１）に記載の照明装置。
（３）
前記複数の光源は、赤色光源、緑色光源及び青色光源を含む、前記（１）又は（２）に記載の照明装置。
（４）
前記複数の光源は、レーザ光源である、前記（１）〜（３）のいずれか１項に記載の照明装置。
（５）
前記光モニタ部により検出される光量に基づいて前記光源の劣化を判定する劣化判定部を備える、前記（１）〜（４）のいずれか１項に記載の照明装置。
（６）
複数の光源から出射したそれぞれの出射光の光量を検出するステップと、受光部から取得した輝度と前記出射光の光量との相関関係に基づき前記複数の光源の出射光の光量を制御するステップと、を備える、照明装置の制御方法。
（７）
前記相関関係に基づき、それぞれの前記出射光の輝度が同一になるように前記出射光の光量を変更する、前記（６）に記載の照明装置の制御方法。
（８）
前記相関関係に基づき、前記出射光を合成した照明光の光量を維持したままでそれぞれの前記出射光の輝度の比を変更する、前記（６）に記載の照明装置の制御方法。
（９）
前記相関関係に基づき、それぞれの前記出射光の輝度の比を維持したままで前記出射光を合成した照明光の光量を変更する、前記（６）に記載の照明装置の制御方法。
（１０）
複数の光源と、前記光源から出射するそれぞれの出射光の光量を検出する光モニタ部と、前記出射光を受光する受光部と、前記受光部により検出された輝度と前記出射光の光量との相関関係に基づいてそれぞれの前記出射光の光量を制御する制御部と、を備える、画像取得システム。
（１１）
それぞれの前記出射光の光量と前記輝度との相関関係を算出する算出部を備える、前記（１０）に記載の画像取得システム。
（１２）
前記画像取得システムが内視鏡システム又は顕微鏡カメラ装置である、前記（１０）又は（１１）に記載の画像取得システム。
【符号の説明】
【００８９】
１０，２０    画像取得システム
１００    照明装置
１１０Ｒ    赤色光源制御部
１１０Ｇ    緑色光源制御部
１１０Ｂ    青色光源制御部
１３０Ｒ    赤色光源
１３０Ｇ    緑色光源
１３０Ｂ    青色光源
１３１    励起光源
１３３，１３５    集光レンズ
１３７    光学結晶
１３９    共振器ミラー
１４１    波長変換素子
１４３    反射部
１５０Ｒ    赤色光モニタ部
１５０Ｇ    緑色光モニタ部
１５０Ｂ    青色光モニタ部
１５１Ｒ，１５１Ｇ，１５１Ｂ    光サンプラ
１５３    ミラー
１５５，１５７    ダイクロイックミラー
１５９    レンズ
１７０    合波部
１８０    合波モジュール
２００    撮像処理装置
２１０    光学系
２３０    受光部
２５０    撮像処理部
３００    照明装置
３１０Ｒ    赤色光源駆動制御回路
３１０Ｇ    緑色光源駆動制御回路
３１０Ｂ    青色光源駆動制御回路
３３０    制御部
【図１】
2019179770.tif 000003
【図２】
2019179770.tif 000004
【図３】
2019179770.tif 000005
【図４】
2019179770.tif 000006
【図５】
2019179770.tif 000007
【図６】
2019179770.tif 000008
【図７】
2019179770.tif 000009
【図８】
2019179770.tif 000010
【図９】
2019179770.tif 000011
【図１０】
2019179770.tif 000012
【図１１】
2019179770.tif 000013
【図１２】
2019179770.tif 000014